(57)【特許請求の範囲】
【請求項１】
シート原稿を搬送する搬送手段と、上記搬送手段で搬送されるシート原稿の原稿画像面に照射部から光を照射する照明手段と、搬送されるシート原稿の原稿画像面と対向し、上記照射部から照射され該原稿画像面から反射した反射光を受光部で受光して上記原稿画像面を撮像する撮像手段と、上記照明手段の照射部及び上記撮像手段の受光部とシート原稿との間に配置され、その表面を搬送されるシート原稿が通過するコンタクトガラスとを有する原稿搬送読取装置において、
上記受光部が配置された読取位置に対してシート原稿の搬送方向上流側で該シート原稿の光の透過率を検知する透過率検知手段と、
搬送方向上流側の端部が片持ち支持された弾性体シートからなり、上記読取位置で上記コンタクトガラスを挟んで上記受光部と対向し、該受光部と対向する表面が白色の弾性白色シート部材とを有し、
上記弾性体シートの片持ち支持された搬送方向上流側の端部を保持し、上記弾性白色シート部材を回動可能に軸支する軸回動保持手段を備え、上記透過率検知手段の検知結果に基づいて、上記軸回動保持手段によって上記弾性白色シート部材を軸回動させ、上記弾性体シートの片持ち支持された搬送方向下流側の端部と上記コンタクトガラスとの位置関係を制御するシート部材位置制御手段を有することを特徴とする原稿搬送読取装置。
【請求項２】
請求項１の原稿搬送読取装置において、
上記弾性白色シート部材が上記コンタクトガラスに近づく方向に、上記軸回動保持手段を付勢する付勢手段を備えていることを特徴とする原稿搬送読取装置。
【請求項３】
請求項２の原稿搬送読取装置において、
上記軸回動保持手段を上記付勢手段の付勢方向における所定の位置で規制する規制部材を備えていることを特徴とする原稿搬送読取装置。
【請求項４】
請求項１の原稿搬送読取装置において、
上記シート部材位置制御手段は、上記透過率検知手段によって検知されたシート原稿の光の透過率が所定の透過率よりも高い場合、上記弾性体シートの片持ち支持された搬送方向下流側の端部を上記コンタクトガラスの表面方向に押圧するように上記軸回動保持手段の軸回動を制御することを特徴とする原稿搬送読取装置。
【請求項５】
請求項４の原稿搬送読取装置において、
上記読取位置に対してシート原稿の搬送方向下流側に配置され、上記読取位置を通過したシート原稿に搬送力を付与する読取後搬送ローラを有し、上記シート部材位置制御手段は、上記読取後搬送ローラにシート原稿の先端が咥えられた後のタイミングで、上記弾性白色シート部材を上記コンタクトガラスの表面方向に押圧する方向に変位動作する制御を行うことを特徴とする原稿搬送読取装置。
【請求項６】
請求項１、２、３、４または５の原稿搬送読取装置において、
上記撮像手段は、上記受光部で受光した上記反射光を収束する結像レンズと、該結像レンズで収束された光像を読み取る読取手段とを有することを特徴とする原稿搬送読取装置。
【請求項７】
請求項１、２、３、４、５または６の原稿搬送読取装置において、
上記弾性白色シート部材の片持ち支持された側は二枚のシート材を重ねた構成であり、該二枚のシート材のうちの一枚のシート先端は、上記読取位置より原稿搬送方向上流側に位置することを特徴とする原稿搬送搬送装置。
【請求項８】
請求項７の原稿搬送搬送装置において、
上記弾性白色シート部材の上記２枚のシート材のうち、少なくとも上記コンタクトガラス側に配置されたシート材は、導電体又は表面に導電処理が施された材料を用いていることを特徴とする原稿搬送搬送装置。
【請求項９】
請求項１、２、３、４、５、６、７または８の原稿搬送搬送装置において、
上記弾性白色シート部材の上記受光部と対向する部分は、厚さ０．１〜０．２［ｍｍ］の白色ポリエチレンテレフタレート樹脂フィルムであることを特徴とする原稿搬送搬送装置。
【請求項１０】
記録材に画像を形成する画像形成手段と、原稿に記録された原稿画像を読み取る画像読取手段とを備え、該画像読取手段で読み取った画像を上記画像形成手段によって記録材に形成することで、原稿画像を記録材に複写する画像形成装置において、
上記画像読取手段として、請求項１、２、３、４、５、６、７、８または９の原稿搬送搬送装置を備えることを特徴とする画像形成装置。
【発明の詳細な説明】
【技術分野】
【０００１】
本発明は、搬送するシート原稿の原稿画像を読み取る原稿搬送読取装置、およびこれを備えた画像形成装置に関するものである。
【背景技術】
【０００２】
従来のシート原稿の原稿画像を読み取る画像読取装置においては、シート原稿を露光走査する原稿固定・光学系移動方式（スキャン方式）と、シート原稿を所定の速度で搬送し、これを露光する原稿移動・光学系固定方式（シートスルー方式）とに分けらる。さらに、原稿画像を撮像する撮像手段としては一般的な画像読取装置で用いられているアナログタイブとＣＣＤ等の撮像素子を用いたデジタルタイプとがあることは周知のことである。また、最近では、大型の原稿を読み取り、その後の各種画像処理を実行するのに有利なデジタルタイプの原稿移動・光学系固定方式が多く採用されてきている。以下、原稿移動・光学系固定方式の画像読取装置を原稿搬送読取装置と呼ぶ。
従来の原稿搬送読取装置としては、特許文献１や特許文献２に記載のものがある。このような原稿搬送読取装置として、撮像手段の撮像部とコンタクトガラスを挟んで対向する位置に、シェーディング補正用の白色部を有する圧板を備えているものがある。そして、圧板を備えた構成では搬送するシート原稿が通過できるように、圧板とコンタクトガラスとの間には隙間を設けている。この隙間が十分に設けられておらず、圧板とシート原稿とが接触する状態では、薄紙シート原稿の場合は、紙の腰が弱い為、圧板との摩擦抵抗によってシート原稿が挫屈し、原稿ジャムとなるおそれがある。
【０００３】
【特許文献１】特開２００６−２９５６５８号公報
【特許文献２】特開２００３−３２４５８６号公報
【発明の開示】
【発明が解決しようとする課題】
【０００４】
しかしながら、上述したような白色部を有する圧板を備えた構成では、上記隙間に第二原図等の半透明のシート原稿を通紙した場合、原稿を露光するときの照明により原稿画像の線画の影が圧板上に生じてしまい、ニジミ画像（地肌汚れ）が発生してしまうことになる。
以下、ニジミ画像の発生のメカニズムについて説明する。
【０００５】
図６は、従来の原稿搬送読取装置が備える撮像装置７０の読取位置を光の透過率が低い非透明のシート原稿が通過するときの説明図であり、図６中の矢印αはシート原稿の搬送方向を示す。撮像装置７０は、光源５１からの照射光Ｌ０がコンタクトガラス６０を透過して、シート原稿Ｐの原稿面で反射し、この反射光Ｌ１が受光部であるレンズ５２で受光する。そして、レンズ５２で結像された光像をイメージセンサ５３で読み取ることで撮像が成される。
図６に示すように、通過するシート原稿Ｐが非透明の場合、光源５１から照射された照射光Ｌ０のうち、透過光Ｌ２として圧板８０の表面に照射される光は少ない。このため、圧板８０に原稿画像の線図の影が発生しても、その影は薄く、画像の読み取りに対して線図の影の影響は少ない。
【０００６】
図７は、図６に示す撮像装置７０の読取位置を光の透過率が高い半透明のシート原稿が通過するときの説明図である。図７に示すように、通過するシート原稿Ｐが半透明の場合、光源５１から照射された照射光Ｌ０のうち、透過光Ｌ２として圧板８０の表面に照射される光は非透明の場合に比べて多くなる。このため、照射光Ｌ０が当る位置に原稿画像の線図が存在すると、図７中のＳで示すような範囲で線図の影が発生し、圧板８０の表面上に影が発生する。そして、この影は濃く、この圧板８０表面上の影の影響を受けた光像をイメージセンサ５３が読み取ってしまい、影の部分がニジミ画像となる。
【０００７】
なお、特許文献２の第２の実施形態には、搬送方向上流側の端部が片持ち支持された弾性体シートからなり、読取位置でコンタクトガラスを挟んで受光部と対向し、受光部と対向する表面が白色の弾性白色シート部材を備えた構成が記載されている。そして、この弾性白色シート部材は、読取位置でコンタクトガラスに接触する構成である。このような弾性白色シート部材では、読取位置でのコンタクトガラスに対する接触圧が弱いと、シート原稿の搬送の勢いなどで浮きが生じ、シート原稿との間に隙間が生じてニジミ画像の原因となる。また、浮きが生じないような接触圧で常に接触させると、通過するシート原稿との摺擦によって弾性白色シート部材に汚れや傷などが生じやすく、部材寿命の低下に繋がる。
【０００８】
本発明は以上の問題点に鑑みなされたものであり、その目的は、第二原図等の半透明のシート原稿を通紙した場合でも、ニジミ画像の発生を防止し、且つ、弾性白色シート部材の部材寿命の低下を防止することができる原稿搬送読取装置、およびこれを備えた画像形成装置を提供することである。
【課題を解決するための手段】
【０００９】
上記目的を達成するために、請求項１の発明は、シート原稿を搬送する搬送手段と、上記搬送手段で搬送されるシート原稿の原稿画像面に照射部から光を照射する照明手段と、搬送されるシート原稿の原稿画像面と対向し、上記照射部から照射され該原稿画像面から反射した反射光を受光部で受光して上記原稿画像面を撮像する撮像手段と、上記照明手段の照射部及び上記撮像手段の受光部とシート原稿との間に配置され、その表面を搬送されるシート原稿が通過するコンタクトガラスとを有する原稿搬送読取装置において、上記受光部が配置された読取位置に対してシート原稿の搬送方向上流側で該シート原稿の光の透過率を検知する透過率検知手段と、搬送方向上流側の端部が片持ち支持された弾性体シートからなり、上記読取位置で上記コンタクトガラスを挟んで上記受光部と対向し、該受光部と対向する表面が白色の弾性白色シート部材とを有し、上記弾性体シートの片持ち支持された搬送方向上流側の端部を保持し、上記弾性白色シート部材を回動可能に軸支する軸回動保持手段を備え、上記透過率検知手段の検知結果に基づいて、上記軸回動保持手段によって上記弾性白色シート部材を軸回動させ、上記弾性体シートの片持ち支持された搬送方向下流側の端部と上記コンタクトガラスとの位置関係を制御するシート部材位置制御手段を有することを特徴とするものである。
また、請求項２の発明は、請求項１の原稿搬送読取装置において、上記弾性白色シート部材が上記コンタクトガラスに近づく方向に、上記軸回動保持手段を付勢する付勢手段を備えていることを特徴とするものである。
また、請求項３の発明は、請求項２の原稿搬送読取装置において、上記軸回動保持手段を上記付勢手段の付勢方向における所定の位置で規制する規制部材を備えていることを特徴とするものである。
また、請求項４発明は、請求項１の原稿搬送読取装置において、上記シート部材位置制御手段は、上記透過率検知手段によって検知されたシート原稿の光の透過率が所定の透過率よりも高い場合、上記弾性体シートの片持ち支持された搬送方向下流側の端部を上記コンタクトガラスの表面方向に押圧するように上記軸回動保持手段の軸回動を制御することを特徴とするものである。
また、請求項５発明は、請求項４の原稿搬送読取装置において、上記読取位置に対してシート原稿の搬送方向下流側に配置され、上記読取位置を通過したシート原稿に搬送力を付与する読取後搬送ローラを有し、上記シート部材位置制御手段は、上記読取後搬送ローラにシート原稿の先端が咥えられた後のタイミングで、上記弾性白色シート部材を上記コンタクトガラスの表面方向に押圧する方向に変位動作する制御を行うことを特徴とするものである。
また、請求項６発明は、請求項１、２、３、４または５の原稿搬送読取装置において、上記撮像手段は、上記受光部で受光した上記反射光を収束する結像レンズと、該結像レンズで収束された光像を読み取る読取手段とを有することを特徴とするものである。
また、請求項７発明は、請求項１、２、３、４、５または６の原稿搬送読取装置において、上記弾性白色シート部材の片持ち支持された側は二枚のシート材を重ねた構成であり、該二枚のシート材のうちの一枚のシート先端は、上記読取位置より原稿搬送方向上流側に位置することを特徴とするものである。
また、請求項８の発明は、請求項７原稿搬送搬送装置において、上記弾性白色シート部材の上記２枚のシート材のうち、少なくとも上記コンタクトガラス側に配置されたシート材は、導電体又は表面に導電処理が施された材料を用いていることを特徴とするものである。
また、請求項９の発明は、請求項１、２、３、４、５、６、７または８の原稿搬送搬送装置において、上記弾性白色シート部材の上記受光部と対向する部分は、厚さ０．１〜０．２［ｍｍ］の白色ポリエチレンテレフタレート樹脂フィルムであることを特徴とするものである。
また、請求項１０の発明は、記録材に画像を形成する画像形成手段と、原稿に記録された原稿画像を読み取る画像読取手段とを備え、該画像読取手段で読み取った画像を上記画像形成手段によって記録材に形成することで、原稿画像を記録材に複写する画像形成装置において、上記画像読取手段として、請求項１、２、３、４、５、６、７、８または９の原稿搬送搬送装置を備えることを特徴とするものである。
【００１０】
上記請求項１の構成を備えた原稿搬送読取装置においては、透過率検知手段の検知結果に基づいて、シート原稿の光の透過率が高い場合には、シート部材位置制御手段が、弾性体シートの片持ち支持された搬送方向下流側の端部とコンタクトガラスとが密着するように、軸回動保持手段によって弾性白色シート部材を軸回動させ、二つの部材の位置関係を制御する。これにより、弾性白色シートとコンタクトガラスとの間を通過するシート原稿が弾性体シートの片持ち支持された搬送方向下流側の端部に密着するため、原稿画像の線図の影が弾性白色シート部材に発生することを防止できる。
また、シート原稿の光の透過率が低い場合には、シート部材位置制御手段が、弾性体シートの片持ち支持された搬送方向下流側の端部とコンタクトガラスとの密着が弱まるように、または、二つの部材が離間するように、軸回動保持手段によって弾性白色シート部材を軸回動させ、二つの部材の位置関係を制御する。これにより、シート原稿の透過率が高い場合に比べて、弾性白色シートとコンタクトガラスとの間を通過するシート原稿に対する弾性白色シート部材の接触圧を抑制することができる。
【発明の効果】
【００１１】
上記請求項１乃至１０の発明によれば、原稿画像の線図の影が弾性白色シート部材に発生することを防止できるため、光の透過率が高い半透明のシート原稿を通紙した場合でも、ニジミ画像の発生を防止することができるという優れた効果がある。さらに、光の透過率が低い非透明のシート原稿を通紙した場合には、シート原稿に対する弾性白色シート部材の接触圧を抑制する、または、離間させることで非接触とすることにより、通過するシート原稿との摺擦による弾性白色シート部材の汚れや傷などを抑制し、弾性白色シート部材の部材寿命の低下を防止することができるという優れた効果がある。
【発明を実施するための最良の形態】
【００１２】
以下、本発明を画像形成装置である電子写真方式のレーザー複写機（以下、単に「複写機５００」という）の一実施形態について説明する。
図１は複写機５００の断面を示す概略構成図である。図１において、複写機５００は、複写機本体２００、給紙装置１００、及び原稿搬送読取装置３００を有する。
複写機本体２００は、作像部２０１，定着部２０２，排紙部２０３を具備しており、原稿搬送読取装置３００により読み取られた画像信号が画像処理され、処理された画像信号に基づいて動作するＬＥＤ書込装置２０４により、表面が均一に帯電された感光体２０５上に静電潜像を形成し、この静電潜像を現像部２０６にてトナー現像して顕像化する。
【００１３】
感光体２０５に形成されたトナー像は、転写部２０７において、給紙装置１００から給送され、かつレジストローラ２０８にて作像タイミングとの同期が取られて搬送される記録用紙に対して転写される。トナー像が転写された後の用紙は、分離部２１０により感光体２０５から分離されて搬送ベルト２１１で定着部２０２へ導かれ、定着部２０２において加熱加圧されて定着処理が施される。
【００１４】
前記定着処理後の用紙は、複数の排紙ローラ２１４，２１５及び分岐爪２１６５からなる排紙部２０３にて、複写機本体２００の上面あるいは複写機本体２００に設けられた排紙トレイ２１２，２１３に排出される。排紙部２０３において、排紙方向は切換機構の分岐爪２１６の回動により切り替えられ、矢印Ｅで示すように後方排紙トレイ２１３へ、または、矢印Ｄで示すように前方排紙トレイ２１２へ排出される。
【００１５】
給紙装置１００は、上下２段のロール紙トレイ１０１，１０２を有している。このロール紙トレイ１０１，１０２は、複写機５００本体から図における左方向に引き出し可能となっており、トレイを引き出した状態でロール紙のセットやジャム処理を行うように構成されている。ロール紙トレイ１０１，１０２には、それぞれ２つずつロール紙１０３〜１０６をセットすることができる。各ロール紙１０３〜１０６に対する給紙ローラ１１１〜１１４がロール紙近傍に配設されている。
【００１６】
各給紙ローラ１１１〜１１４により送り出された用紙は、図における左側（正面側）のトレイに設けられたロールカッターユニット１１５，１１６により一定の長さに切断され、シート状の記録用紙として搬送ローラ１１７，１１８により複写機本体２００へ搬送される。
【００１７】
なお、上述した説明では、原稿搬送読取装置３００で読み取り、その画像情報に基づいて作像する複写機５００の複写機としての機能について説明した。複写機５００は、複写機としての機能のみではなく、パソコンなどの外部の電子機器から入力される画像情報に基づいて作像するプリンタとしての機能も備えている。
【００１８】
図２は、本実施形態の原稿搬送読取装置３００の概略説明図であり、図３は、原稿搬送読取装置３００の要部拡大説明図である。
図２に示すように、原稿搬送読取装置３００は、スキャナ部５０、原稿載置台１０、後方原稿排紙トレイ２０、及び上方原稿排紙トレイ２１を備える。スキャナ部５０は、シート原稿Ｐの原稿面の画像を読み取る密着イメージセンサ部５を備える。また、スキャナ部５０は、シート原稿Ｐを密着イメージセンサ部５との対向部である読取位置に向けて搬送する入口ローラ対１、及び読取位置を通過したシート原稿Ｐを搬送する出口ローラ対２を備える。さらに、出口ローラ対２を通過したシート原稿Ｐの排出先の排紙トレイを切り替える排紙切換部材２２、及び、上方原稿排紙トレイ２１にシート原稿Ｐを排出する上方排紙ローラ対３を備える。
密着イメージセンサ部５は、全体として主走査方向（図中、手前−奥方向）に長い箱形状をしており、原稿を照明する光源５１、コンタクトガラス６０およびイメージセンサ５３を有する。そして、シート原稿Ｐの搬送路においてシート原稿Ｐを照明し、シート原稿Ｐからの反射光をレンズ５２を通してイメージセンサ上に結像させて、光電変換を行うことにより画像信号を出力する。
また、スキャナ部５０は、シート原稿Ｐの幅（搬送方向に直交する方向の長さ）と、シート原稿Ｐの前後端を検知してシート原稿Ｐの長さとを検知するサイズ検知センサ１４を備える。また、シート原稿Ｐの先端を検知してシート原稿Ｐの読取開始位置を検知するレジストセンサ１５を備える。さらに、密着イメージセンサ部５に対向する位置には白色シート４を備え、読取位置を通過したシート原稿Ｐの後端を検知する原稿排紙センサ１６を備えている。白色シート４は、主走査方向（図中、手前−奥方向）に長い板状をしており、読取位置において密着イメージセンサ部５の主走査方向の撮像範囲の全域で密着イメージセンサ部５に対向する。
また、原稿搬送読取装置３００のスキャナ部５０には、各種モードの設定・動作のスタート指示や、搬送する用紙の情報であるリピートコピー設定や長尺通紙情報を入力するための表示／操作部６が設けられている。
【００１９】
原稿搬送読取装置３００では、原稿画像が形成された原稿面を裏にしてシート原稿Ｐを挿入（図中矢印Ａ）すると、サイズ検知センサ１４の検知信号により、ステッピングモータが回転し、シート原稿Ｐが入口ローラ対１にくわえ込まれ、白色シート４と密着イメージセンサ部５との間に搬送される。密着イメージセンサ部５で原稿面を読み取り、読み取った画像を処理しながら更に進み、出口ローラ対２から排出された原稿は排紙切換部材２２により、矢印Ｂで示すように後方原稿排紙トレイ２０又は矢印Ｃで示すように上方原稿排紙トレイ２１に排出される。
原稿搬送読取装置３００のシート原稿Ｐを搬送する各搬送ローラ対の駆動は、不図示の回転駆動手段であるスキャナモータ（ステッピングモータ）により、タイミングベルトを介して各搬送ローラ対（入口ローラ対１、出口ローラ対２）に設けられたプーリ等により駆動が伝達される。入口ローラ１は、電磁クラッチを介し駆動制御される。さらに、ギア、タイミングベルトを介して上方排紙ローラ対３に伝達される。なお、各搬送ローラ対は、ローラ対を形成する２つのローラのうちの一方が駆動の伝達される駆動ローラであり、他方は連れまわる従動ローラであって、従動ローラを駆動ローラに対して押圧して、シート原稿Ｐを搬送する構成である。
【００２０】
スキャナモータの回転速度制御は、製品の原稿搬送速度になる様に回転速度は決められたパターンで制御されている。変倍時での回転速度は、等倍時を１００［％］とした場合、等倍時の回転速度÷変倍率で制御され、例えば１００［％］時で、１０［ｒｐｍ］とした場合、５０［％］時では、２０［ｒｐｍ］で回転することになる。
各搬送ローラ対のローラの周速は、入口ローラ対１＜出口ローラ対２＜上方排紙ローラ対３の様に順次周速を若干早くしており、シート原稿Ｐがローラ間で弛まない様にしている。
【００２１】
次に、スキャナ部５０の要部について説明する。なお、図３中の一点鎖線（Ｌ）で示す位置は、スキャナ部５０における読取位置としての読取ラインである。また、図４は、読取位置近傍のコンタクトガラス６０と白色シート４との拡大説明図である。
原稿面を裏にしてシート原稿Ｐを挿入（図中矢印Ａ）すると、サイズ検知センサ１４の原稿挿入検知の検知信号により、ステッピングモータが回転し、シート原稿Ｐが入口ローラ対１にくわえ込まれる。そして、透過率検知センサ１１によりシート原稿Ｐの光透過率を検知した後、白色シート４と密着イメージセンサ部５の間に原稿は搬送される。白色シート４は、筐体に回動可能に軸支されたホルダ４３に設けられており、白色ＰＥＴフィルムシート４１とＰＥＴフィルムシート４２とを重ねて構成されている。白色ＰＥＴフィルムシート４１は読取ラインＬの範囲より下流側まで伸ばしている。ＰＥＴフィルムシート４２は、読取ラインＬ範囲よりも搬送方向上流側に配置され、読取ラインＬからの距離（図４中のＷ）が約５［ｍｍ］位の位置にシート先端部が位置してなる様に設ける。このように、ＰＥＴフィルムシート４２を配置することにより、読取位置における白色シート４とシート原稿Ｐとが非接触に近い状態になる為、原稿との擦れ傷、汚れ付着を軽減している。
【００２２】
又、白色ＰＥＴフィルムシート４１及びＰＥＴフィルムシート４２には、導電処理が施されており、原稿との接触による静電気を逃がす様にしているため、後処理である原稿スタックでの静電気によるストック不良等の不具合を軽減している。
図３に示すように、ホルダ４３に設けられたピン４６は、スプリング４４によりストッパピン４５に押圧保持されている。そして、不図示の回動手段により、ホルダ回動軸４３ａを中心にホルダ４３を図３中の矢印Ｆ方向、またはＧ方向に回動させ、白色シート４とコンタクトガラス６０の表面との当接位置の制御を可能にしている。
白色シート４は、画像の読み取り開始前でかつ黒レベル補正用データの採取後に、光源５１を所定のタイミングで点灯して白基準板を読み取ったときの白画像データを用いて白レベル補正用データを採取する白レベル補正用データ採取処理を実行するしシェーディング補正を実施する。
【００２３】
白色シート４は、通常時には、図４に示すように、密着イメージセンサ部５に設けられたコンタクトガラス６０の押圧され接触した状態に設けられている。詳しくは、白色ＰＥＴフィルムシート４１はコンタクトガラス６０に接触しおり、ＰＥＴフィルムシート４２は、その先端部がコンタクトガラス６０に対して接触間近となる位置にあり、このＰＥＴフィルムシート４２の先端部の位置は、密着イメージセンサ部５の読取範囲外の位置となっている。図４に示すように、白色ＰＥＴフィルムシート４１がコンタクトガラス６０表面とほぼ同一面の位置になる様にすることにより、照明深度のバラツキを抑制することができる。
【００２４】
なお、シート原稿Ｐの透明度が高く、シート原稿Ｐと白色シートとの浮きが大きいほど原稿影によるニジミ画像が顕著に発生する。このため、透過率検知センサ１１により検知された透過率が、所定の透過率よりも高い場合には、ホルダ４３を回動させ、白色シート４をコンタクトガラス面方向に圧接する方向に変位させることにより、白色シート４と原稿が密着した状態にし、原稿影が広がることを少なくする事によりニジミ画像を低減している。
具体的には、透過率検知センサ１１の検知結果が不図示の制御部に送信され、その検知結果に基づいて、制御部が不図示の回動手段を制御し、ホルダ４３の回動を制御する。そして、透過率検知センサ１１が検知した透過率が所定の透過率よりも高い場合は、ホルダ４３を図３中の矢印Ｇ方向に回動させるように回動手段を制御する。これにより、白色シート４のたわみが大きくなり、コンタクトガラス６０に対する白色シート４の接触圧が大きくなり、シート原稿Ｐが通過するときに白色シート４が浮くことを防止することができる。図５は、透過率が所定の透過率よりも高いシート原稿Ｐが読取位置を通過している状態の読取位置近傍の拡大説明図である。図５に示すように、白色ＰＥＴフィルムシート４１とシート原稿が密着しているため、原稿画像の線図の影の影響を抑制することができ、ニジミ画像を低減している。
一方、透過率が所定の透過率よりも低い場合は、ホルダ４３を図３中の矢印Ｆ方向に回動させるように回動手段を制御する。これにより、白色シート４のたわみが小さくなり、コンタクトガラス６０に対する白色シート４の接触圧が小さくなる。これにより、原稿画像の影の影響が生じにくい透過率の低いシート原稿Ｐの画像を読み取るときには、通過するシート原稿Ｐとの摺擦による白色シート４の汚れや傷などを抑制し、白色シート４の部材寿命の低下を防止することができる。なお、本実施形態では、コンタクトガラス６０に対する白色シート４の接触圧が小さくなるように制御しているが、コンタクトガラス６０と白色シート４とが非接触となるように、回動手段を制御しても良い。
【００２５】
一般的に薄紙原稿は、紙の腰が弱く、光の透過率は高くなる傾向にある。透過率が高いため原稿画像の線図の影が発生しやすいが、シート原稿Ｐが読取位置に到達する前に白色シート４のコンタクトガラス６０に対する圧接力を高くすると薄紙からなるシート原稿Ｐの腰が弱いため搬送不良をまねく恐れがある。このような搬送不良を防止対策として、読取ラインＬに対して搬送方向下流側に配置された出口ローラ対２がシート原稿Ｐの先端を咥えた後に、白色シート４をコンタクトガラス６０に押圧させる様に制御する。これにより薄紙からなるシート原稿Ｐの搬送不良をなくすことが出来る。
また、厚紙原稿搬送時は、白色シート４を弾性体シートにしていることで、白色シート４が弾性により退避する為、搬送不良がなく確実に原稿搬送が可能である。
【００２６】
なお、本実施形態では受光部にレンズ５２を配置した構成について説明したが、このような構成に限らず、読取位置でシート原稿と対向する位置には、反射部材を用いて、反射部材に入射し、反射した光をレンズに受光させる構成であってもよい。
【００２７】
以上、本実施形態によれば、原稿搬送読取装置３００は、シート原稿Ｐを搬送する搬送手段である入口ローラ対１及び出口ローラ対２を有する。また、これらの搬送ローラ対で搬送されるシート原稿Ｐの原稿画像面に照射部である光源５１から光を照射する照明手段と、搬送されるシート原稿Ｐの原稿画像面と対向し、光源５１から照射され原稿画像面から反射した光を受光部であるレンズ５２で受光して原稿画像面を撮像する撮像手段とを備える密着イメージセンサ部５を原稿搬送読取装置３００は有する。また、密着イメージセンサ部５は、光源５１及びレンズ５２とシート原稿Ｐとの間に配置され、その表面を搬送されるシート原稿Ｐが通過するコンタクトガラス６０を備える。さらに、レンズ５２が配置された読取位置である読取ラインＬに対してシート原稿Ｐの搬送方向上流側でシート原稿Ｐの光の透過率を検知する透過率検知手段である透過率検知センサ１１を有する。また、搬送方向上流側の端部が片持ち支持された弾性体シート（白色ＰＥＴフィルムシート４１及びＰＥＴフィルムシート４２）からなり、読取ラインＬでコンタクトガラス６０を挟んでレンズ５２と対向し、レンズ５２と対向する表面が白色の弾性白色シート部材である白色シート４を有する。そして、透過率検知センサ１１の検知結果に基づいて、白色シート４のコンタクトガラス６０に対する位置関係を制御するシート部材位置制御手段としての、ホルダ４３、不図示の回動手段、及び、不図示の制御手段等を有する。シート原稿Ｐの透過率に応じ、白色シート４とコンタクトガラス６０との位置関係を変位可能にすることことにより、透過率の高いシート原稿Ｐが読取ラインＬにあるときには、シート原稿Ｐと白色シート４との隙間を少なくできるので、影によるニジミ画像を軽減できる。また、透過率の低いシート原稿Ｐが読取ラインＬにあるときには、白色シート４のコンタクトガラス６０に対する密着を弱め、シート原稿Ｐの透過率が高い場合に比べて、白色シート４とコンタクトガラス６０との間を通過するシート原稿Ｐに対する白色シート４の接触圧を抑制することができる。これにより、通過するシート原稿Ｐとの摺擦による白色シート４の汚れや傷などを抑制し、白色シート４の部材寿命の低下を防止する。
【００２８】
また、原稿搬送読取装置３００は、不図示の制御部は、透過率検知センサ１１によって検知されたシート原稿Ｐの光の透過率が所定の透過率よりも高い場合、白色シート４をコンタクトガラス６０の表面方向に押圧するように、ホルダ４３が図３中矢印Ｇ方向に回転するように不図示の回動手段を制御する。このように、シート原稿Ｐの種類に応じて自動的に白色シート４とコンタクトガラス６０との位置関係を変位可能にすることことにより、光の透過率の高いシート原稿Ｐと白色シート４との隙間を少なくし影の発生を少なくできる。
【００２９】
また、原稿搬送読取装置３００は、読取ラインＬに対して搬送方向下流側に配置され、読取ラインＬを通過したシート原稿Ｐに搬送力を付与する読取後搬送ローラである出口ローラ対２を有し、シート原稿Ｐの光の透過率が所定の透過率よりも高い場合、不図示の制御部は、出口ローラ対２にシート原稿Ｐの先端が咥えられた後のタイミングで、白色シート４をコンタクトガラス６０の表面方向に押圧する方向に変位動作する制御を行う。白色シート４をコンタクトガラス６０の表面に押圧する方向に変位動作するタイミングを出口ローラ対２にシート原稿Ｐの先端が咥えられた後に押圧動作をする様に制御することにより、第２原図等の紙の腰が弱い薄紙からなるシート原稿Ｐでも搬送抵抗による挫屈を防止できるため、搬送不良がない良好な原稿搬送読取装置を提供することが出来る。
【００３０】
また、原稿搬送読取装置３００が備える、撮像手段である密着イメージセンサ部５は、受光部であるレンズの先端で受光した反射光Ｌ２を収束する結像レンズであるレンズ５２と、レンズ５２で収束された光像を読み取る読取手段であるイメージセンサ５３とを有する。
【００３１】
また、原稿搬送読取装置３００の、白色シート４の片持ち支持された側は二枚のシート材（白色ＰＥＴフィルムシート４１及びＰＥＴフィルムシート４２）を重ねた構成であり、二枚のシート材のうち、ＰＥＴフィルムシート４２の端は、読取ラインＬより搬送方向上流側に位置する。白色シート４の構成を、２枚重ねにし、コンタクトガラス６０側に配置されＰＥＴフィルムシート４２の先端を、読取ラインＬより搬送方向上流側に位置することにより読取ラインＬにおいてシート原稿Ｐと白色シート４との接触圧が少なくなる為、汚れ、傷などを低減することが出来る。特に、ＰＥＴフィルムシート４２の先端を、読取ラインＬの近傍まで配置させることにより、シート原稿Ｐと白色シート４との接触圧をより少なくすることができる。
【００３２】
また、原稿搬送読取装置３００の白色シート４を構成する白色ＰＥＴフィルムシート４１及びＰＥＴフィルムシート４２には、導電処理が施されている。コンタクトガラス６０側に配置されたＰＥＴフィルムシート４２として、導電体又は表面に導電処理を施した材料を用いるにより、樹脂製のシート４０とシート原稿Ｐとが接触することによる静電気の発生を減少出来ると供に、後工程での静電気によるスタック不良等を防止出来る。
【００３３】
また、原稿搬送読取装置３００の、白色シート４のレンズ５２と対向する部分である白色ＰＥＴフィルムシート４１は、厚さ０．１〜０．２［ｍｍ］の白色ポリエチレンテレフタレート樹脂フィルムである。このような白色シート４を用いることにより、柔軟性、強度と耐熱性が有り、貼り合わせ原稿等厚紙にも対応出来る。
【００３４】
画像形成装置である複写機５００は、記録材である用紙に画像を形成する画像形成手段である複写機本体２００と、シート原稿Ｐに記録された原稿画像を読み取る画像読取手段とを備え、画像読取手段で読み取った画像を複写機本体２００によって用紙に形成することで、原稿画像を用紙に複写するものであり、画像読取手段として、本実施形態の原稿搬送読取装置３００を備える。このため、複写機５００では、第二原図等の半透明のシート原稿Ｐを通紙した場合でも、原稿浮きによる原稿影によるニジミ画像（地肌汚れ）が発生を少なくでき、ニジミ画像が少ないコピーを得ることが出来る。
【図面の簡単な説明】
【００３５】
【図１】実施形態に係る複写機の概略構成図。
【図２】原稿搬送読取装置の概略説明図。
【図３】原稿搬送読取装置の要部拡大説明図。
【図４】読取位置近傍のコンタクトガラスと白色シートとの拡大説明図。
【図５】シート原稿が読取位置を通過している状態の読取位置近傍の拡大説明図。
【図６】従来の撮像装置の読取位置を非透明のシート原稿が通過するときの説明図。
【図７】従来の撮像装置の読取位置を半透明のシート原稿が通過するときの説明図。
【符号の説明】
【００３６】
１      入口ローラ対
２      出口ローラ対
３      上方排紙ローラ対
４      白色シート
５      密着イメージセンサ部
６      表示／操作部
１０    原稿載置台
１１    透過率検知センサ
１４    サイズ検知センサ
１５    レジストセンサ
１６    原稿排紙センサ
２０    後方原稿排紙トレイ
２１    上方原稿排紙トレイ
２２    排紙切換部材
４１    白色ＰＥＴフィルムシート
４２    ＰＥＴフィルムシート
４３    ホルダ
４３ａ  ホルダ回動軸
４４    スプリング
４５    ストッパピン
４６    ピン
５０    スキャナ部
５１    光源
５２    レンズ
５３    イメージセンサ
６０    コンタクトガラス
７０    撮像装置
８０    圧板
１００  給紙装置
２００  複写機本体
３００  原稿搬送読取装置
５００  複写機
【図１】
0005031658.tif 000002
【図２】
0005031658.tif 000003
【図３】
0005031658.tif 000004
【図４】
0005031658.tif 000005
【図５】
0005031658.tif 000006
【図６】
0005031658.tif 000007
【図７】
0005031658.tif 000008